(57)【特許請求の範囲】
【請求項１】
筐体を備える電子機器であって、
前記筐体に設けられた開口部と、前記開口部の奥側に前記筐体と一体に形成された壁と、前記筐体の内部に収容されると共に一部が前記開口部の付近に配置された回路基板と、前記回路基板における前記筐体の内側を向く面の端部に沿って設けられたグランド部と、を備え、
前記回路基板の前記一部は、前記筐体の前記壁よりも前記筐体の外観側に配置され、
前記回路基板の前記グランド部は、前記筐体の前記壁と対向する位置に配置されていることを特徴とする電子機器。
【請求項２】
前記筐体の内部に収容されると共に前記回路基板よりも内側に配置されたフレキシブル回路基板、を更に備え、
前記グランド部の前記端部に沿った方向の長さは、前記開口部の幅よりも長く形成され、
前記フレキシブル回路基板の幅は、前記筐体の前記壁の長さよりも短く且つ前記グランド部の前記端部に沿った方向の長さよりも短く形成されていることを特徴とする請求項１に記載の電子機器。
【請求項３】
前記回路基板は、記録媒体を収容する記録媒体収容部を実装した基板であることを特徴とする請求項１又は２に記載の電子機器。
【請求項４】
前記電子機器には、撮像装置が含まれることを特徴とする請求項１乃至３のいずれか１項に記載の電子機器。
【発明の詳細な説明】
【技術分野】
【０００１】
本発明は、電子回路が実装された回路基板等を筐体内部に収容する電子機器に関する。
【背景技術】
【０００２】
従来、筐体が複数のカバーから構成されると共に開口部を有し、記録媒体収納部・外部接続端子部等が実装された回路基板等を筐体内部に収容する構造の電子機器がある。このような電子機器では、カバーとカバーの間には僅かな隙間が生じている。電子機器の筐体の開口部の奥側には、開口部から挿入される外部接続端子を接続する外部接続端子部、記録媒体を収納する記録媒体収納部が配置されている。
【０００３】
ここで、電子機器の筐体を構成するカバー部材が非導電性の材質で構成されている場合、電子機器外部で発生した静電気がカバー間の隙間や開口部から筐体内部に浸入し、筐体内部の電子回路に流入すると、電子機器の誤作動を引き起こす可能性がある。
【０００４】
そこで、筐体内部の電子回路に静電気が流入することを防止するために以下の技術が提案されている（例えば、特許文献１参照）。特許文献１では、カバー間の隙間に近い位置に配置された回路基板のエッジに沿ってグランドパターンを設けると共に、回路基板の回路パターン面を保護するレジスト層を一部剥がしてグランドパターンを露出させる。
【０００５】
また、特許文献１では、上記隙間付近の筐体裏面に蒸着や導電塗装等を施すか金属テープや板金部材等を配置して導電体を設け、筐体を構成するカバー同士を嵌合させた際に導電体を回路基板のグランドパターンに設けた弾性タブ等に接触させる。これにより、筐体外部からカバーの嵌合部を通過して筐体内部に浸入する静電気をグランドパターンや導電体に誘導する。
【０００６】
他方、電子機器の回路基板に実装されたカードスロット等を筐体の開口部に配置する場合、カードスロットの挿入口が回路基板に接しているため、回路基板面が外部に露出することがある。この場合、露出した回路基板面にグランドパターンを設けると見栄えが悪くなることから、回路基板の筐体内部側のエッジにグランドパターンを設けることで、そこに静電気を誘導させているものがある。
【先行技術文献】
【特許文献】
【０００７】
【特許文献１】特開２００５−０５１４３０号公報
【発明の概要】
【発明が解決しようとする課題】
【０００８】
しかしながら、上記特許文献１に記載の技術では、カバー間の隙間の位置とグランドパターンの位置が一致しその距離が近ければ、想定通りに静電気をグランドパターンに誘導できるが、次のような問題があった。上記位置にずれがあったり、隙間とグランドパターンの距離よりも近い位置に別の電気部品があったりした場合には、グランドパターンに静電気を誘導できず、静電気から保護すべき回路に直接静電気が飛び込んで誤動作や回路破壊を引き起こすという問題があった。
【０００９】
また、隙間付近の筐体裏面に蒸着や導電塗装等を施すか金属テープや板金部材等を配置して導電体を設け、カバー同士を嵌合させた際に導電体を回路基板のグランドパターンに設けた弾性タブ等に接触させる構造は、製造コスト及び工数が嵩むという問題があった。
【００１０】
また、カードスロットを実装した回路基板の筐体内側のエッジにグランドパターンを設けた構造は、同様に、筐体外部から流入した静電気を筐体内側のグランドパターンに誘導できる可能性は低く、確実にそのグランドパターンに落とすという信頼性に欠けていた。また、カバーが一体でないため、カバー間の隙間からも静電気が浸入する可能性があり、どこから静電気が浸入しているのかを特定することができなかった。
【００１１】
本発明の目的は、外観上の見栄えや操作性を良好に保ちながらコストも上げることなく、静電気を確実にグランド部に誘導することを可能とした電子機器を提供することである。
【課題を解決するための手段】
【００１２】
上記目的を達成するために、本発明は、筐体を備える電子機器であって、前記筐体に設けられた開口部と、前記開口部の奥側に前記筐体と一体に形成された壁と、前記筐体の内部に収容されると共に一部が前記開口部の付近に配置された回路基板と、前記回路基板における前記筐体の内側を向く面の端部に沿って設けられたグランド部と、を備え、前記回路基板の前記一部は、前記筐体の前記壁よりも前記筐体の外観側に配置され、前記回路基板の前記グランド部は、前記筐体の前記壁と対向する位置に配置されていることを特徴とする。
【発明の効果】
【００１３】
本発明によれば、回路基板の一部を筐体の壁よりも外観側に配置し、回路基板のグランド部を筐体の壁と対向する位置に配置する。本構成により、静電気の浸入箇所から沿面距離が近い位置にグランド部を配置することができるので、外観上の見栄えや操作性を良好に保ちながらコストも上げることなく、静電気を確実にグランド部に誘導することができる電子機器を提供することが可能となる。
【図面の簡単な説明】
【００１４】
【図１】本発明の実施の形態に係るビデオカメラの外観を示す斜視図である。
【図２】ビデオカメラのカード基板を示す図であり、（ａ）は、カード基板の外観側の面を示す図、（ｂ）は、カード基板の内側の面を示す図である。
【図３】ビデオカメラの本体カバーの正面図である。
【図４】図３の矢視Ｂ−Ｂ線に沿う断面図である。
【図５】ビデオカメラの本体カバー等の構成部品の分解斜視図である。
【図６】ビデオカメラの本体カバー等の構成部品の組立斜視図である。
【図７】組立後の図３の矢視Ｂ−Ｂ線に沿う断面図である。
【図８】静電気の流れを示す図７の拡大図である。
【図９】ビデオカメラの組立後の本体カバーの正面図である。
【発明を実施するための形態】
【００１５】
以下、本発明の実施の形態を図面に基づいて説明する。
【００１６】
まず、本発明の実施の形態に係るビデオカメラの概略を図１に基づき説明する。
【００１７】
図１は、本実施の形態に係るビデオカメラの外観を示す斜視図である。
【００１８】
図１において、ビデオカメラ（電子機器、撮像装置）は、ビデオカメラ本体１を構成する本体カバー２（筐体）と、本体カバー２に対して開閉可能に取り付けられたカードカバー３を備えている。カードカバー３は、ビデオカメラで撮像した画像データを記録する記録媒体であるメモリカード１３（図２参照）をビデオカメラ本体内部に収納するためのカバーであり、図１ではカードカバー３が開状態にある様子を示している。
【００１９】
本体カバー２には、メモリカード１３をビデオカメラ本体内部に挿入するための開口部４が設けられており、開口部４の奥側のビデオカメラ本体内部には、メモリカード１３を収容するためのカードスロット５が配置されている。また、本体カバー２には、カードカバー３を開閉する際に使用者の指を掛けやすくするための凹部６が形成されている。ビデオカメラ本体１の前面にはレンズ（不図示）が配置され、後部にはトリガボタン１２が配置されている。
【００２０】
ビデオカメラにおいては、使用者がトリガボタン１２を押すことによって撮影が開始され、再度、トリガボタン１２を押すと撮影が終了する。ビデオカメラで撮影が開始されると、レンズから被写体の光学像が撮像素子（不図示）に取り込まれて画像データに変換され、メモリカード１３に記録される。これらの処理は、メイン基板（不図示）に実装された電子回路によって行われるため、カードスロット５とメイン基板とは電気的に接続されている。
【００２１】
次に、本実施の形態のビデオカメラの各構成要素を図２乃至図４を用いて説明する。
【００２２】
図２は、ビデオカメラのカード基板を示す図であり、（ａ）は、カード基板の外観側の面を示す図、（ｂ）は、カード基板の内側の面を示す図である。
【００２３】
図２（ａ）、（ｂ）において、カード基板７（回路基板）は、ビデオカメラ本体１の内部に組み込まれるものであり、メモリカード１３を収容するカードスロット５（記録媒体収容部）が実装されている。本実施の形態で用いるカードスロット５は、プッシュプッシュ式のスロットであり、メモリカード１３を押すことによってカードスロット５に対しメモリカード１３の挿抜を行うことができる。メモリカード１３は、図２（ａ）に示すように３つのポジション（ＬＯＣＫポジション（実線部）、ＰＵＳＨポジション（点線部）、ＥＪＥＣＴポジション（二点鎖線部））を取り得る。
【００２４】
メモリカード１３は、ビデオカメラが記録状態にある時はＬＯＣＫポジション（実線部）に位置する。メモリカード１３をカードスロット５から取り出す際は、メモリカード１３を図２（ａ）の矢印Ａ方向に押すと、メモリカード１３はＰＵＳＨポジション（点線部）まで押された後、ＥＪＥＣＴポジション（二点鎖線部）まで移動する。これにより、メモリカード１３をカードスロット５から取り出すことが可能となる。
【００２５】
つまり、メモリカード１３は常にカードスロット５の先端５ａよりも外に飛び出た状態にある。カードスロット５からのメモリカード１３の取り出し時は、図２（ａ）の一点鎖線７ａで示すようにカードスロット５が実装されている範囲（カードスロット５の先端５ａ）までカード基板７が見えている状態となる。
【００２６】
カード基板７の外観側の面には、カードカバー３の開閉を検出するスイッチ１４が実装され、カード基板７の内側の面には、カード基板７とメイン基板（不図示）を接続するフレキシブル回路基板８（図５参照）が接続されるコネクタ９が実装されている。また、カード基板７の内側の面（筐体の内側を向く面）には、グランドパターン１０（グランド部）がカード基板７の端部に沿って露出した状態に設けられている。
【００２７】
ここで、グランドパターン１０は、カード基板７の外観側である図２（ａ）の面には設けられておらず、カード基板７の内側である図２（ｂ）の面にのみ設けられている。そのため、カードスロット５からのメモリカード１３の取り出し時でも、外観上、カード基板７のグランドパターン１０が見えることはなく、デザイン性を損なうことはない。尚、カード基板７の外観範囲（外側から見える範囲）は、例えばカード基板上に黒印刷を施してもよく、更に見栄えが良くなる。
【００２８】
図３は、ビデオカメラの本体カバーの正面図である。図４は、図３の矢視Ｂ−Ｂ線に沿う断面図である。
【００２９】
図３、図４において、本体カバー２には、メモリカード１３をカードスロット５に挿入するための開口部４が設けられている。開口部４は、図３では斜線で示した箇所であり、図４では点線で示した箇所となる。開口部４の入り口には、カード基板７と略平行な面１５が形成されている。面１５には、カードスロット５にメモリカード１３を挿入した時の呼び込みリブ２１が規定の間隔で且つ本体カバー２と一体に複数形成されている。また、開口部４の後ろ側（開口部４の奥側）には、壁１１が面１１ａを外観側にして本体カバー２と一体に形成されている。
【００３０】
次に、本実施の形態のビデオカメラの要部の構造を図５乃至図７を用いて説明する。
【００３１】
図５は、ビデオカメラの本体カバー等の構成部品の分解斜視図である。図６は、ビデオカメラの本体カバー等の構成部品の組立斜視図である。図７は、組立後の図３の矢視Ｂ−Ｂ線に沿う断面図である。
【００３２】
図５、図６、図７において、カード基板７は、図２（ａ）の面を外観側にしてカード基板７の下端が本体カバー２の壁１１を乗り越えるように、ビデオカメラ本体１の内側から組み込まれる。即ち、図６、図７に示すように、本体カバー２の壁１１の外観側の面１１ａが、カード基板７のグランドパターン１０と対向するように配置される。また、カード基板７は、本体カバー２の開口部４の付近に配置されており、カード基板７の一部は、本体カバー２の壁１１よりも外観側に配置される。カード基板７は、本体カバー２に金属部材と共にネジで固定される。
【００３３】
カードスロット５の開口部は、本体カバー２の開口部４に位置し、メモリカード１３は、本体カバー２の開口部４より挿抜が可能となる。また、図６に示すように、カード基板７とメイン基板（不図示）を接続するフレキシブル回路基板８の一方の端部は、コネクタ９に接続され、フレキシブル回路基板８の反対側の端部は、メイン基板に接続される。
【００３４】
本体カバー２の壁１１は、カード基板７の組立時に作業性が良くなるように適度な高さに形成されており、その先端は角を落とした形状でカード基板７の呼び込みになっている。また、メモリカード１３の挿抜時など、カードスロット５やカード基板７が不用意に図７の矢印Ｃ方向から押された場合には、壁１１と呼び込みリブ２１がカード基板７の支えとなることで、外力からカード基板７が破壊されるのを防止している。
【００３５】
図７に示すように、呼び込みリブ２１は、メモリカード１３をカードスロット５に対し挿抜する際に、使用者が指で矢印Ｅ方向にメモリカード１３を押しても指が当たらない位置までの長さとなっているため、操作の邪魔にはならない。また、リブ２１は、間隔をもって配置されているため（図３）、万が一、メモリカード１３がカードスロット５に詰まって出てこなくなってしまった場合には、リブ２１とリブ２１の間に使用者が爪を入れてメモリカード１３をつまんで引っ張り出すことができる。
【００３６】
次に、本実施の形態のビデオカメラにおける静電気の流れについて図８を用いて説明する。
【００３７】
図８は、静電気の流れを示す図７の拡大図である。
【００３８】
図８において、ビデオカメラ本体１の外側から、カード基板７と本体カバー２の開口部４の入り口の面１５との間に静電気が矢印Ｄで示す経路で浸入した場合、静電気はそのまま本体カバー２の壁１１に沿って曲がり、グランドパターン１０に誘導される。静電気が浸入した開口部４の入り口から、カード基板７やフレキシブル回路基板８に実装された電子回路までの距離と、グランドパターン１０までの距離とでは、後者の方が沿面距離も空間距離も近い。そのため、確実に静電気をグランドパターン１０に誘導することができる。
【００３９】
カード基板７は、上述したように本体カバー２に金属部材と共にネジで固定されており、この金属部材を通してビデオカメラ本体１内の他の金属部材と接続されている。そのため、カード基板７の端部に沿って設けられたグランドパターン１０に誘導された静電気は、ビデオカメラ本体１内の基準電位と同電位になる。これにより、カード基板７やフレキシブル回路基板８に実装された電子回路に静電気が印加して誤動作や破壊を引き起こすとはない。
【００４０】
図９は、ビデオカメラの組立後の本体カバーの正面図である。
【００４１】
図９において、本体カバー２の壁１１ａ（点線部）の前にカード基板７が配置され、フレキシブル回路基板８（二点鎖線部）が壁１１ａの後ろに位置している様子を示している。フレキシブル回路基板８の紙面横方向の幅は、本体カバー２の壁１１ａの長さよりも短く、またカード基板７の端部に沿って設けられたグランドパターン１０の前記端部に沿った方向の長さよりも更に短く形成されている。また、グランドパターン１０の前記端部に沿った方向の長さは、開口部４の幅よりも長く形成されている。
【００４２】
そのため、本体カバー２の開口部４の紙面横方向のどこから静電気が浸入しても、開口部４の幅よりもグランドパターン１０の長さの方が大きいため、確実にグランドパターン１０に静電気を誘導することができる。これにより、フレキシブル回路基板８に実装された電子回路を保護することができる。また、本体カバー２は、フレキシブル回路基板８とカード基板７の外形を覆える範囲で一体の部材で成形されているため、従来のカバー同士を合わせた構造のようにカバー間の隙間から静電気が浸入することはない。
【００４３】
以上説明したように、本実施形態によれば以下の構成及び効果を奏する。静電気から保護すべきカード基板７やフレキシブル回路基板８について、本体カバー２に形成された開口部４に近いカード基板７の端部にグランドパターン１０を露出させ、その部分を本体カバー２に一体に形成された壁１１に対向して配置する。本構成により、静電気の浸入箇所から沿面距離が近い位置にグランドパターン１０を配置することができるので、静電気の通り道に設けたグランドパターン１０に確実に静電気を誘導することができる。
【００４４】
また、従来のように新たに導電体を追加する必要がないため、部品点数及びコストも削減できる。また、カード基板７やフレキシブル回路基板８の周囲を単体の本体カバー２で囲んでいるため、従来のようにカバー間の隙間から静電気が浸入することはない。また、本体カバー２の開口部４の手前に適切な形状のリブ２１を設けているため、メモリカード１３の挿抜性も向上し、更にカード基板７やメモリカード１３に対する外力による負荷も軽減することができる。
【００４５】
即ち、本実施の形態では、カード基板７の一部を、本体カバー２の壁１１よりも外観側に配置し、カード基板７のグランドパターン１０を、本体カバー２の壁１１と対向する位置に配置している。また、グランドパターン１０の長さを、開口部４の幅よりも長く形成し、フレキシブル回路基板８の幅を、本体カバー２の壁１１の長さよりも短く且つグランドパターン１０の長さよりも短く形成している。
【００４６】
これにより、外観上の見栄えや操作性を良好に保ちながらコストも上げることなく、静電気を確実にグランドパターンに誘導することができるビデオカメラ（電子機器）を提供することが可能となる。
【００４７】
〔他の実施の形態〕
以上、本発明をその好適な実施の形態に基づいて詳述してきたが、本発明は上記実施の形態に限定されるものではない。本発明の要旨を逸脱しない範囲の様々な形態も本発明に含まれるものであり、上記実施の形態の一部を適宜組み合わせてもよい。上記実施の形態では、メモリカード１３を挿抜するカードスロットを実装したカード基板を備えるビデオカメラを例に挙げたが、これに限定されるものではない。外観カバーの隙間や開口部がある他の電子機器についても適用することができる。
【符号の説明】
【００４８】
１  ビデオカメラ本体
２  本体カバー
４  開口部
７  カード基板
８  フレキシブル回路基板
１０  グランドパターン
１１  壁
【図１】
0005836786.tif 000002
【図２】
0005836786.tif 000003
【図３】
0005836786.tif 000004
【図４】
0005836786.tif 000005
【図５】
0005836786.tif 000006
【図６】
0005836786.tif 000007
【図７】
0005836786.tif 000008
【図８】
0005836786.tif 000009
【図９】
0005836786.tif 000010